【手続補正書】
【提出日】令和3年11月8日(2021.11.8)
【手続補正１】
【補正対象書類名】特許請求の範囲
【補正対象項目名】全文
【補正方法】変更
【補正の内容】
【特許請求の範囲】
【請求項１】
断熱アセンブリであって、
（ａ）ジャケットアセンブリであって（ｉ）第１のネジ付き継手に固定された外側ジャケットと、（ｉｉ）前記第１のネジ付き継手に固定された内側ジャケットとを有し、
前記内側ジャケットは、その内部でジャケット管腔を画定し、前記ジャケット管腔は主軸を画定し、前記外側ジャケットおよび内側ジャケットはまた、それらの間に密閉された真空のジャケット断熱空間を画定する、ジャケットアセンブリと、
前記ジャケット断熱空間と連通してガス分子に前記ジャケット断熱空間からの出口経路を提供する通気孔であって、
前記通気孔は、これを介したガス分子の排気に続いて前記ジャケット断熱空間内で真空を維持するために密閉可能であり、
前記第１の壁と第２の壁の間の距離が、任意で、前記通気孔に隣接する前記ジャケット断熱空間の一部で可変であり、これにより前記ジャケット断熱空間内のガス分子は、前記ジャケット断熱空間の排気の間に前記第１及び第２の壁の可変距離部分によって前記通気孔に誘導され、
前記第１および第２の壁の可変距離部分によるガス分子の誘導は、ガス分子を前記密封された断熱空間へ流入させるよりもっと高い確率で流出させる、通気孔と、
（ｂ）第１の管腔を画定する第１の導管と、
（ｃ）第２の管腔を画定する第２の導管であって、前記第２の導管の管腔および前記第１の導管の管腔は、互いに流体連通する、第２の導管と、
（ｄ）任意に、前記第１の導管の端部と前記第２の導管の端部との間に配置されたシーラーであって、前記第１の管腔および第２の管腔と流体連通しているシーラーと、
を有し、
（ｅ）前記ジャケットアセンブリは、前記第１の導管および前記第２の導管に密閉可能に固定され、
（ｆ）前記ジャケットの管腔の主軸に沿って測定したとき、前記ジャケット断熱空間は、前記第１の導管の少なくとも一部と前記第２の導管の少なくとも一部を覆っているものである、断熱アセンブリ。
【請求項２】
請求項１記載の断熱アセンブリにおいて、前記第１の導管を囲む第１のネジ付きナットと前記第１の導管を囲む第１のフェルールとをさらに有し、前記第１のネジ付きナットは、前記第１のフェルールが前記ジャケットアセンブリを前記第１の導管に密閉可能に固定するように前記第１のネジ付き継手と係合するものである、断熱アセンブリ。
【請求項３】
請求項１〜２のいずれかに記載の断熱アセンブリにおいて、前記外側ジャケットは第２のネジ付き継手に固定され、前記内側ジャケットが前記第２のネジ付き継手に固定され、前記断熱アセンブリはさらに、前記第２の導管を囲む第２のねじ付きナットと、前記第２の導管を囲む第２のフェルールとを有し、前記第２のネジ付きナットが前記第２のネジ付き継手と係合して、前記第２のフェルールが前記ジャケットアセンブリを前記第２の導管に密閉可能に固定するものである、断熱アセンブリ。
【請求項４】
請求項１〜２のいずれかに記載の断熱アセンブリにおいて、前記第１の管腔および前記第２の管腔は互いに同軸である、断熱アセンブリ。
【請求項５】
請求項１〜２のいずれかに記載の断熱アセンブリにおいて、前記第１の導管は第１の内管と第１の外管とを有し、前記第１の内管および前記第１の外管がそれらの間に密封された断熱空間を画定するものである、断熱アセンブリ。
【請求項６】
請求項５記載の断熱アセンブリにおいて、前記第１の導管の前記密閉された断熱空間と連通する通気孔であって、前記密閉された断熱空間からの出口経路をガス分子に提供する、通気孔をさらに有し、
この通気孔を介したガス分子の排気の後に前記通気孔は前記密閉された断熱空間内の真空を維持するために密閉可能であり、前記第１の壁と前記第２の壁の間の距離は前記通気孔に隣接する前記密閉された断熱空間の一部で可変であり、これにより前記密閉された断熱空間の排気中に前記第１および第２の壁の可変距離部分によって前記密閉された断熱空間内のガス分子が前記通気孔に誘導され、前記第１および第２の壁の可変距離部分によるガス分子の誘導は、ガス分子を前記密封された断熱空間へ流入させるよりもっと高い確率で流出させるものである、断熱アセンブリ。
【請求項７】
請求項５記載の断熱アセンブリにおいて、前記第１の導管の前記密封された断熱空間を密封する継手をさらに有し、任意で、前記継手が前記密封された断熱空間内に延びる部分を備えるものである、断熱アセンブリ。
【請求項８】
請求項１〜２のいずれかに記載の断熱アセンブリにおいて、
前記第２の導管は第２の内管および第２の外管を有し、前記第１の内管および前記第１の外管が、それらの間に密封された断熱空間を画定するものである、断熱アセンブリ。
【請求項９】
請求項８記載の断熱アセンブリにおいて、前記第２の導管の前記密閉された断熱空間と連通する通気孔であって、前記密閉された断熱空間からの出口経路をガス分子に提供する、通気孔をさらに有し、
この通気孔を介したガス分子の排気の後に前記通気孔は前記密閉された断熱空間内の真空を維持するために密閉可能であり、前記第１の壁と前記第２の壁の間の距離は前記通気孔に隣接する前記密閉された断熱空間の一部で可変であり、これにより前記密閉された断熱空間の排気中に前記第１および第２の壁の可変距離部分によって前記密閉された断熱空間内のガス分子が前記通気孔に誘導され、前記第１および第２の壁の可変距離部分によるガス分子の誘導は、ガス分子を前記密封された断熱空間へ流入させるよりもっと高い確率で流出させるものである、断熱アセンブリ。
【請求項１０】
請求項８記載の断熱アセンブリにおいて、前記第１の導管の前記密封された断熱空間を密封する継手をさらに有し、任意で、前記継手が前記密封された断熱空間内に延びる部分を備えるものである、断熱アセンブリ。
【請求項１１】
請求項１〜２のいずれかに記載の断熱アセンブリにおいて、
前記内側ジャケットと前記第１の導管がこれらの間に密閉空間を画定するものである、断熱アセンブリ。
【請求項１２】
請求項１〜２のいずれかに記載の断熱アセンブリにおいて、
前記内側ジャケットおよび前記第２の導管はそれらの間に密閉空間を画定するものである、断熱アセンブリ。
【請求項１３】
請求項１〜２のいずれかに記載の断熱アセンブリにおいて、
前記ジャケットの管腔の主軸に沿って測定する時、前記第１の導管は長さを画定し、前記第２の導管は長さを画定し、前記ジャケット断熱空間は、前記第１の導管および前記第２の導管のうちの少なくとも１つの長さの１〜約１０％の上にある。
【請求項１４】
請求項１〜２のいずれかに記載の断熱アセンブリの前記第１の導管の管腔および前記第２の導管の管腔を通して流体を連通させる工程を有する方法。
【請求項１５】
方法であって、
（ａ）ジャケットアセンブリであって（ｉ）第１のネジ付き継手に固定された外側ジャケットと、（ｉｉ）前記第１のネジ付き継手に固定された内側ジャケットとを有し、
前記内側ジャケットは、その内部でジャケット管腔を画定し、前記ジャケット管腔は主軸を画定し、前記外側ジャケットおよび内側ジャケットはまた、それらの間に密閉された真空のジャケット断熱空間を画定する、ジャケットアセンブリと、
前記ジャケット断熱空間と連通してガス分子に前記ジャケット断熱空間からの出口経路を提供する通気孔であって、
前記通気孔は、これを介したガス分子の排気に続いて前記ジャケット断熱空間内で真空を維持するために密閉可能であり、
前記第１の壁と第２の壁の間の距離が、任意で、前記通気孔に隣接する前記ジャケット断熱空間の一部で可変であり、これにより前記ジャケット断熱空間内のガス分子は、前記ジャケット断熱空間の排気の間に前記第１及び第２の壁の可変距離部分によって前記通気孔に誘導され、
前記第１および第２の壁の可変距離部分によるガス分子の誘導は、ガス分子を前記密封された断熱空間へ流入させるよりもっと高い確率で流出させる、通気孔と、
（ｂ）第１の管腔を画定する第１の導管と、
（ｃ）第２の管腔を画定する第２の導管であって、前記第２の導管の管腔および前記第１の導管の管腔は、互いに流体連通する、第２の導管と、
（ｄ）任意に、前記第１の導管の端部と前記第２の導管の端部との間に配置されたシーラーであって、前記第１の管腔および第２の管腔と流体連通しているシーラーと、
を用いて、
前記第１の管腔を前記第２の管腔と連通するように配置し（密閉可能に行うことも可能）、前記ジャケット断熱空間は、前記ジャケットの管腔の主軸に沿って測定した時に前記第１の導管の少なくとも一部と前記第２の導管の少なくとも一部を覆うように前記ジャケットアセンブリを前記第１の導管および前記第２の導管に密閉可能に固定する工程を有する方法。    
【請求項１６】
請求項１５記載の方法において、前記密閉可能に固定する工程は、前記第１のネジ付き継手を第１のフェルールと係合させることによって行われ、前記係合は、任意で前記第１のネジ付き継手と係合するねじ付きナットによって行われるものである、方法。
【請求項１７】
請求項１５記載の方法において、前記密閉可能に固定する工程は、前記内側ジャケットと前記第１の導管との間に空間を画定するように行われるものである、方法。
【請求項１８】
請求項１５記載の方法において、前記外側ジャケットが第２のネジ付き継手に固定され、前記内側ジャケットが前記第２のネジ付き継手に固定され、さらに、前記第２のネジ付き継手を第２のフェルールと係合させる工程をさらに有し、これにより前記ジャケットアセンブリを前記第２の導管に固定するものであり、この係合は、任意で、前記第２のネジ付き継手と係合するネジ付きナットによって行われるものである、方法。
【請求項１９】
請求項１８記載の方法において、前記密閉可能に固定する工程は、前記内側ジャケットおよび前記第２の導管がそれらの間に空間を画定するように行われるものである、方法。
【請求項２０】
請求項１５記載の方法において、
前記第１の導管及び前記第２の導管の一方または両方が、断熱空間をその間に画定する内壁および外壁と、
前記ジャケット断熱空間と連通する通気孔と、を有し、
この通気孔は前記ジャケット断熱空間からの出口経路をガス分子に提供するものであり、前記通気孔を介したガス分子の排出に続いて、前記ジャケットの断熱空間内で前記通気孔は密閉可能であり、
前記第１の壁と第２の壁の間の距離は、任意で、前記通気孔に隣接する前記ジャケット断熱空間の一部で可変であり、これにより前記ジャケット断熱空間内のガス分子は前記ジャケット断熱空間の排気の間に前記第１および第２の壁の可変距離部分によって前記通気孔に誘導され、
前記第１および第２の壁の前記可変距離部分によるガス分子の誘導は、ガス分子を前記密封された断熱空間へ流入させるよりもっと高い確率で流出させるものである、方法。
【手続補正２】
【補正対象書類名】明細書
【補正対象項目名】０００３
【補正方法】変更
【補正の内容】
【０００３】
流体処理の分野では、導管を通って流体が移動している間、流体の温度を維持しながら、流体を運ぶ必要がある。これを行うための既存の技術（たとえば、直線および曲線の配管）は、例えば鋳造または他の成形プロセスによって目的の形状に成形された後にその形状に固定される。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第３，１４６，００５号明細書
（特許文献２）  米国特許出願公開第２０１２／０２８２７９２号明細書
（特許文献３）  米国特許出願公開第２００９／０１２３２２１号明細書
（特許文献４）  米国特許出願公開第２００８／０１６９０３７号明細書
（特許文献５）  米国特許第４，４９１，３４７号明細書